(57)【要約】      （修正有）【課題】製造工程が簡単で、ウサギの爪研ぎ及びストレス解消の効果をより確実に得られるウサギ用マットを提供する。【解決手段】図柄層２と、図柄層に積層された固めの生地からなる引掻層と、を有するマットで構成され、マットの端部にマットを吊り下げるための吊下げ部４を有することを特徴とする。【選択図】図１
0003189054.tif 000002
【実用新案登録請求の範囲】
【請求項１】
図柄層と、前記図柄層に積層された固めの生地からなる引掻層と、を有するマットで構成され、前記マットの端部に前記マットを吊り下げるための吊下げ部を有すること、を特徴とするウサギ用マット。
【請求項２】
前記図柄層がネル生地で構成され、前記引掻層がボア生地、キャンバス生地、デニム生地及び麻生地よりなる群から選択される少なくとも一種で構成されていること、を特徴とする請求項１に記載のウサギ用マット。
【請求項３】
前記吊下げ部が、孔又は突起で構成されていること、を特徴とする請求項１又は２に記載のウサギ用マット。
【請求項４】
前記引掻層が内側に位置する筒状部分を少なくとも一部に有すること、を特徴とする請求項１〜３のうちのいずれかに記載のウサギ用マット。
【考案の詳細な説明】
【技術分野】
【０００１】
本考案は、ウサギのストレス解消及び爪の手入れに役立つウサギ用マットに関する。
【背景技術】
【０００２】
従来より、ペットであるウサギはケージ（カゴ）等の中で飼われており、ときおりケージの外部に出して自由に運動させたりしているが、常に見守っていることも大変なことから、ケージ内外でストレスを解消させるためのグッズが種々考案されている。
【０００３】
そのようなグッズとしては、例えば、噛んで遊ばせるためのおもちゃである牧草のボールやかじり木、また、掘るという習性を利用して遊ばせるためのダンボール等にウッドチップや牧草を敷き詰めたおもちゃ等がある。
【０００４】
例えば、特許文献１（特開２００３−３１９７２８号公報）においては、産業廃棄物として大量に捨てられている古畳から畳表と畳縁を除去し、糸で刺し固めてある藁の畳床を所定の寸法に切断し、その後、小さく切り分けた畳床を厳重に消毒して製造される動物用かじり材が提案されている。
【先行技術文献】
【特許文献】
【０００５】
【特許文献１】特開２００３−３１９７２８号公報
【考案の概要】
【考案が解決しようとする課題】
【０００６】
上記特許文献１に記載の動物用かじり材は、歯牙の伸び過ぎを防止することができ、また、ウサギの爪研ぎ及びストレス解消にはある程度の効果があると考えらえるものの、それらの効果は必ずしも十分ではなく、加えて、薬剤を使用することから製造工程が煩雑であるという問題がある。
【０００７】
そこで、本考案の目的は、製造工程が簡単で、ウサギの爪研ぎ及びストレス解消の効果をより確実に得られるウサギ用グッズを提供することにある。
【課題を解決するための手段】
【０００８】
上記課題を解決すべく、本考案は、図柄層と、前記図柄層に積層された固めの生地からなる引掻層と、を有するマットで構成され、前記マットの端部に前記マットを吊り下げるための吊下げ部を有すること、を特徴とするウサギ用マットを提供する。
【０００９】
このような構成を有する本考案のウサギ用マットによれば、当該ウサギ用マットをケージ内の側部において上から下に垂れるように吊り下げることができ、ウサギは、吊り下げられたウサギ用マットの引掻層側に対して引っ掻くように掘る動作を繰り返すことから、爪研ぎ及びストレス解消の効果が得られる。また、ウサギは、ウサギ用マットを被ったりくるまったりすることによって心地よく過ごし、これによってもストレス解消の効果が得られる。更に、本考案のウサギ用マットはシンプルな構造であるため、製造工程が簡単である。
【００１０】
上記の本考案のウサギ用マットにおいては、前記図柄層がネル生地で構成され、前記引掻層がボア生地、キャンバス生地、デニム生地及び麻生地よりなる群から選択される少なくとも一種で構成されていること、が好ましい。
【００１１】
このような構成によれば、引っ掻くように掘る動作を繰り返すことによる爪研ぎ及びストレス解消の効果を、より確実に得ることができる。
【００１２】
更に、上記の本考案のウサギ用マットにおいては、前記吊下げ部が、孔又は突起で構成されていること、が好ましい。
【００１３】
このような構成によれば、本考案のウサギ用マットを、紐で結びつけたり、突起（例えば鉤状）をケージの線条部分に引っ掛けたりすることにより、より確実にケージ内の側部において上から下に垂れるように吊り下げることができ、より確実に爪研ぎ及びストレス解消の効果を得ることができる。
【００１４】
また、上記の本考案のウサギ用マットにおいては、前記引掻層が内側に位置する筒状部分を少なくとも一部に有すること、が好ましい。即ち、本考案のウサギ用マットは、一部又は全部が筒状に形成されていてもよい。
【００１５】
このような構成によればウサギは、より確実にウサギ用マットを被ったりくるまったりすることによって心地よく過ごすことができ、これによってストレス解消の効果が得られる。
【考案の効果】
【００１６】
本考案によれば、製造工程が簡単で、ウサギの爪研ぎ及びストレス解消の効果をより確実に得られるウサギ用グッズを提供することができる。
【図面の簡単な説明】
【００１７】
【図１】本考案のウサギ用マットの第一実施形態の正面図である。
【図２】図１に示す本考案の第一実施形態に係るウサギ用マット１のＸ−Ｘ概略断面図である。
【図３】本考案のウサギ用マットの第二実施形態の正面図である。
【図４】図３に示す本考案の第一実施形態に係るウサギ用マット１のＸ−Ｘ概略断面図である。
【考案を実施するための形態】
【００１８】
以下において、本考案のウサギ用マットの代表的な実施形態について、図面を参照しつつ詳細に説明するが、本考案はこれらのみに限定されるものではない。また、以下の説明では、同一又は相当部分には同一符号を付し、重複する説明は省略することもある。図面は、本考案を概念的に説明するためのものであるから、理解容易のために、必要に応じて寸法、比又は数を誇張又は簡略化して表している場合もある。
【００１９】
≪第一実施形態≫
図１は、本考案のウサギ用マットの第一実施形態の正面図であり、図２は、図１に示す本考案の第一実施形態に係るウサギ用マット１のＸ−Ｘ概略断面図である。これらの図に基づいて第一実施形態のウサギ用マット１について説明する。
【００２０】
図１及び図２に示すウサギ用マット１は、図柄層２ａ（ただし、便宜上、図面においては図柄は省略している。）と、図柄層２ａに積層された固めの生地からなる引掻層２ｂと、を有するマット２で構成されており、四隅の角に曲部（Ｒ部）が設けられた略長方形状を有する。そして、マット２の上端部の領域にマット２を吊り下げるための吊下げ部４を有している。
【００２１】
本実施形態においては、図柄層２ａがネル生地で構成され、引掻層２ｂがボア生地、キャンバス生地、デニム生地及び麻生地よりなる群から選択される少なくとも一種で構成されているのが好ましい。図柄層２ａと引掻層２ｂとは、互いに積層されて縫製等によって積層されてこのような構成を有することにより、一体化されている。図柄層２ａと引掻層２ｂとの材質によっては、接着剤や熱融着等の方法によっても一体化できる。
【００２２】
なお、ネルとは、綿フランネル（コットン・フランネル、綿ネルとも呼ばれる）の略称である。例えば、甘撚の緯糸を打ち込んで平織、２／１綾織、２／２綾織の綿織物を起毛した布生地が挙げられる。起毛してあるため、肌触りが柔らかくて暖かく、人間用であれば例えばバジャマ、ベビー衣料及びシャツ等に使用されている。よって、ウサギにとっても非常に心地良い肌触りである。
【００２３】
本実施形態のウサギ用マット１において、マット２の上端部の領域に設けられた吊下げ部４は、略円状の孔で構成されている。ここに紐を通して当該紐をケージの特に線条部分に引っ掛けたりすることにより、ケージ内の側部に上から下に垂れるように吊り下げることができる。
【００２４】
上記のような構成を有する本実施形態のウサギ用マット１は、ケージ内の側部において上から下に垂れ下がるように吊り下げることができ、ウサギは、吊り下げられたウサギ用マット１の引掻層２ｂ側に対して引っ掻くように掘る動作を繰り返す（そのように引掻層２ｂがケージの内側を向くように吊下げる。）。これにより、爪研ぎ及びストレス解消の効果が得られる。また、ウサギは、ウサギ用マット１を被ったりくるまったりすることによって心地よく過ごすことができる。これにより、ストレス解消の効果が得られる。更に、本実施形態のウサギ用マット１はシンプルな構造であるため、製造工程が簡単である。
【００２５】
≪第二実施形態≫
図３は、本考案のウサギ用マットの第二実施形態の正面図であり、図３は、図２に示す本考案の第二実施形態に係るウサギ用マット１０のＹ−Ｙ概略断面図である。これらの図に基づいて第二実施形態のウサギ用マット１０について説明する。
【００２６】
図３及び図４に示すウサギ用マット１０は、図柄層２ａ（ただし、便宜上、図面においては図柄は省略している。）と、図柄層２ａに積層された固めの生地からなる引掻層２ｂと、を有するマット２で構成されており、マット２の上端部の領域にマット２を吊り下げるための吊下げ部４を有している。
【００２７】
そして、マット２の上側の２つの角には曲部（Ｒ部）が設けられており、マット２の下側部分には、大きな外郭が曲線上の凸部１２が設けられている。即ち、図柄部２ａには大きな外郭が曲線上の凸部１２ａが設けられており、引掻部２ｂには、凸部１２ａに対応して略同形状の外郭が曲線上の凸部１２ｂが設けられておいる。この凸部１２が設けられていることにより、ウサギがウサギ用マット１０を踏み易く、また、ウサギがウサギ用マット１０を被ったりくるまったりしようとした場合、カラダにフィットし易いという効果がある。
【００２８】
本実施形態においても、上記第一実施形態と同様に、図柄層２ａがネル生地で構成され、引掻層２ｂがボア生地、キャンバス生地、デニム生地及び麻生地よりなる群から選択される少なくとも一種で構成されているのが好ましい。図柄層２ａと引掻層２ｂとは、互いに積層されて縫製等によって積層されてこのような構成を有することにより、一体化されている。図柄層２ａと引掻層２ｂとの材質によっては、接着剤や熱融着等の方法によっても一体化できる。
【００２９】
また、本実施形態のウサギ用マット１０において、マット２の上端部の領域に設けられた吊下げ部４は、略楕円状の孔で構成されている。ここに紐を通して当該紐をケージの特に線条部分に引っ掛けたりすることにより、ケージ内の側部に上から下に垂れるように吊り下げることができる。
【００３０】
上記のような構成を有する本実施形態のウサギ用マット１０は、ケージ内の側部において上から下に垂れ下がるように吊り下げることができ、ウサギは、吊り下げられたウサギ用マット１０の引掻層２ｂ側に対して引っ掻くように掘る動作を繰り返す（そのように引掻層２ｂがケージの内側を向くように吊下げる。）。これにより、爪研ぎ及びストレス解消の効果が得られる。また、凸部１２の部分があることから、ウサギは、ウサギ用マット１０をより確実に被ったりくるまったりすることによって心地よく過ごすことができる。これにより、ストレス解消の効果が得られる。更に、本実施形態のウサギ用マット１０はシンプルな構造であるため、製造工程が簡単である。
【００３１】
以上、本考案のウサギ用マットの代表的な実施形態について説明したが、本考案の技術的思想を具現化していれば種々の設計変更が可能であり、それらはすべて本考案の技術的範囲に含まれる。
【００３２】
例えば、上記実施形態においては、ウサギ用マットの形状が略長方形状で一枚のシート状の場合について説明したが、ケージの上から下に向けて垂れるように吊り下げることができれば、種々の形状を有していてよい。例えば、円状、正方形状、楕円状、ウサギやその他の動物の顔や体の形状であってもよい（二次元形状）。
【００３３】
また、本考案のウサギ用マットは、三次元形状を有していてもよい。例えば全体が筒状であってもよく、例えば下側部分だけが筒状であってもよい。更には袋状であってもよい。このような筒状の部分があれば、ウサギは本考案のウサギ用マットに更に密接に接触して安心感をもって休むことができ、ストレス解消に繋がる。
【符号の説明】
【００３４】
１、１０・・・ウサギ用マット、
２・・・図柄層、
４・・・吊下げ部、
１２、１２ａ、１２ｂ・・・凸部。
【図１】
0003189054.tif 000003
【図２】
0003189054.tif 000004
【図３】
0003189054.tif 000005
【図４】
0003189054.tif 000006